(57)【要約】【課題】本明細書は、突起を有する複数のバスバの夫々に流れる電流を計測する電流センサに関し、隣接バスバの突起に起因するノイズ磁界の影響を抑制するための技術を提供する。【解決手段】本明細書が開示する電流センサは、平行に配置されている２本のバスバ２ａ、２ｂと、磁電変換素子７ａ、７ｂを備えている。バスバ２ａ、２ｂの夫々に、切欠２１ａ、２１ｂと、突起２３ａ、２３ｂが設けられている。磁電変換素子７ａ、７ｂは、切欠２１ａ、２１ｂの夫々の内側に配置されている。バスバ２ａの切欠２１ａは、バスバの延設方向に沿って、隣接するバスバ２ｂの切欠２１ｂと重ならないように配置されている。バスバ２ａの突起２３ａは、バスバの並び方向から見たときに、磁電変換素子７ａ、７ｂの間に配置されているとともに、延設方向に沿って、磁電変換素子７ａ、７ｂと重ならない位置に設けられている。【選択図】図４
2016197052.tif 000002
【特許請求の範囲】
【請求項１】
平行に配置されている２本のバスバであって、各バスバに、切欠と、バスバの並び方向と直交する方向に延びている突起と、が設けられている２本のバスバと、
各切欠の内側に配置されている磁電変換素子と、
を備えており、
前記各切欠は、バスバの延設方向において、隣接するバスバの切欠と重ならないように設けられており、
前記各バスバの前記突起は、前記２本のバスバの並び方向から見たときに、２個の前記磁電変換素子の間に位置するように、かつ、２個の前記磁電変換素子と重ならないように設けられている、
ことを特徴とする電流センサ。
【発明の詳細な説明】
【技術分野】
【０００１】
本発明は、電流センサに関する。特に、複数のバスバの夫々に流れる電流を計測する電流センサに関する。
【背景技術】
【０００２】
電流を計測する電流センサが必要とされる場合がある。例えば、電動車両のモータを制御するために、モータに送電するバスバに電流センサが取り付けられる。モータを高い精度で制御するために、電流センサの計測精度の向上が望まれている。
【０００３】
電流センサにおいて、電流を計測するために用いられる素子として、例えば磁電変換素子がある。磁電変換素子は、バスバに流れる電流に起因して発生する磁束を感知する素子である。磁電変換素子は、電流計測対象のバスバ以外から発生する磁界の影響を受ける。例えば、複数のバスバが平行に配置されており、各バスバの電流を計測する場合に、磁電変換素子は、計測対象となるバスバに隣接する計測対象でないバスバから発生する磁界の影響を受ける。例えば、特許文献１は、このような磁界の影響を抑えて、電流センサの計測精度を向上させるための技術を開示する。この技術は、バスバの形状と、バスバと磁電変換素子とのレイアウトを工夫することにより、隣接するバスバから発生する磁界の影響を抑える。
【先行技術文献】
【特許文献】
【０００４】
【特許文献１】特開２００１−０７４７８３号公報
【発明の概要】
【発明が解決しようとする課題】
【０００５】
磁電変換素子を有する電流センサの計測精度を向上させるには、特許文献１に示すようなノイズ対策に加えて、計測対象のバスバと計測対象でないバスバとの相対位置を精度よく決めることも有効である。例えば、複数のバスバを金型に固定して複数のバスバを樹脂でモールドする場合、各バスバに、金型に対する位置決め用の突起を設けることが必要とされることがある。そのような突起を有するバスバを使った電流センサでは、突起を流れる電流に起因して発生する磁界にも留意しなければならない。すなわち、計測対象でないバスバの突起から発生する磁界が磁電変換素子に大きな影響を与える虞がある。バスバの延設方向で磁電変換素子から離れた位置に突起を設ければ、突起の影響を考慮しなくて済むが、樹脂でモールドするバスバ部分の近く、即ち、磁電変換素子が配置される場所の近くに突起を設けることが望ましい。これは、金型を小型化できることと、突起を含む電流センサ全体を小型化できるからである。本明細書は、突起を有する複数のバスバの夫々に流れる電流を計測する電流センサに関し、隣接バスバの突起に起因するノイズ磁界の影響を抑制するための技術を提供する。なお、本明細書が開示する電流センサはバスバの形状にも特徴があるので、その特徴あるバスバの形状を電流センサの構成に含むものである。
【課題を解決するための手段】
【０００６】
以下の説明では、「複数のバスバ」の代表として、「２本のバスバ」を例に説明する。即ち、以下では、２本のバスバの夫々に流れる電流を計測する電流センサについて説明する。これは、発明をより理解し易くするためである。以下で説明する技術は、２本のバスバに限定されるものではなく、３本以上のバスバの夫々を流れる電流を計測する電流センサにも適用可能であることに留意されたい。
【０００７】
本明細書が開示する電流センサは、平行に配置されている２本のバスバと、２個の磁電変換素子を備えている。２本のバスバの夫々に、切欠と突起が設けられている。各バスバの切欠は、バスバの延設方向において、隣接するバスバの切欠と重ならない位置に設けられている。各磁電変換素子は、各切欠の内側に配置されている。各突起は、バスバの並び方向と直交する方向に延びている。また、各突起は、２本のバスバの並び方向から見たときに、２個の磁電変換素子の間に位置するように、かつ、２個の前記磁電変換素子と重ならないように設けられている。
【発明の効果】
【０００８】
この構成によれば、切欠によってバスバの断面積が小さくなり、その部位の電流密度が高められる。以下、切欠の無い他の部位よりも断面積が小さくなった部位を幅狭部と称する。電流が誘起する磁界の強さは電流密度に比例するので、幅狭部のバスバが発生する磁界は、バスバの他の部位が発する磁界よりも強まる。切欠に配置された磁電変換素子は幅狭部によって強められた磁界を計測する。一方、各バスバの切欠は、バスバの延設方向において、隣接するバスバの切欠と重ならないように配置されている。よって、磁電変換素子は、隣接するバスバの幅狭部から発生する磁界から大きな影響を受けない。
【０００９】
一方、バスバには、各バスバの相対位置を精度よく決めるために、金型に対する位置決め用の突起が設けられている。当該突起を含む部位からも、ノイズとなる磁界が発生する。しかし、上記のように、この突起は、バスバの並び方向から見たときに、２個の磁電変換素子の間であってそれら磁電変換素子と重ならないように設けられている。したがって、突起が発するノイズ磁界は、磁電変換素子に大きな影響を与えない。また、突起は、２個の磁電変換素子の間に位置するように設けられているので、バスバ延設方向の電流センサの長さは突起に影響されず、２個の切欠の位置で定まる。即ち、突起が電流センサ全体を大きくすることはない。
【００１０】
本明細書が開示する技術の詳細とさらなる改良は以下の「発明を実施するための形態」にて説明する。
【図面の簡単な説明】
【００１１】
【図１】実施例の電流センサの斜視図である。
【図２】バスバのみを示す斜視図である。
【図３】電流センサの上面図である。
【図４】隣接する２本のバスバを、並び方向から見た平面図である。（２本のバスバはＺ軸方向にずらして描いてある。）
【図５】図３のV−V線における断面図である。
【発明を実施するための形態】
【００１２】
図面を参照して実施例の電流センサを説明する。図１に実施例の電流センサ２００の斜視図を示す。電流センサ２００は、バスバユニット３とセンサユニット４を備えている。バスバユニット３は、３本のバスバ２ａ、２ｂ、２ｃ（以下、まとめて「バスバ２」と称する場合がある）と、バスバ２の下側に配置されているシールド板６を、樹脂でモールドしたユニットである。以下、モールドした樹脂をモールド体５と称する。図１は、モールド体５を模式的に透明に描いた図である。図１では、モールド体５は一点鎖線で描かれている。モールド体５の一側面には、バスバ２の一方の端部２４が露出している。モールド体５の下面には、バスバ２の他方の端部２５が露出している。各バスバ２ａ、２ｂ、２ｃの夫々には、切欠２１ａ、２１ｂ、２１ｃが設けられている。本実施例の電流センサ２００は、バスバ２の形状にも特徴があるので、その形状に特徴のあるバスバ２を電流センサ２００の構成に含むものである。なお、本明細書では図中にＸＹＺ座標系が示されており、本明細書では適宜ＸＹＺ座標系を使用して実施例の構成を説明する。本明細書では、Ｚ軸方向が、「上下方向」を示す。
【００１３】
センサユニット４は、複数の磁電変換素子と、この複数の磁電変換素子が接続されている基板と、シールド板を、樹脂でモールドしたユニットである。以下、モールドした樹脂をモールド体４２と称する。また、モールド体４２の上面には、出力端子４４が露出している。出力端子４４は、磁電変換素子から出力された信号を、基板を介して、センサユニット４の外部へ出力するための端子である。センサユニット４は、バスバユニット３のモールド体５の上面に設けられた嵌合部５２に嵌合している。嵌合部５２は、バスバ２の各切欠２１ａ、２１ｂ、２１ｃの形状に沿って、モールド体５の上面に設けられた凹部である。センサユニット４がバスバユニット３の嵌合部５２に嵌合すると、センサユニット４内の複数の磁電変換素子の夫々が、バスバ２の各切欠２１ａ、２１ｂ、２１ｃの内側に、配置される。
【００１４】
電流センサ２００は、電動車両に搭載されるインバータの内部に備えられる。インバータは、バッテリの電力を走行用の３相交流モータ（以下、モータ）の供給に適した交流電力に変換するためのデバイスであり、内側にインバータ回路基板を備えている。電流センサ２００は、インバータ回路基板と走行用モータとの間に接続される。バスバ２の一方の端部２４は、インバータ回路基板に接続される。バスバ２の他方の端部２５は、走行用モータに接続される。電流センサ２００により、モータに供給される電力の電流値が計測される。電動車両では、要求トルクでモータを駆動するために、モータの電流フィードバック制御が実行される。電流センサ２００で計測された電流値は、電流フィードバック制御の制御量を算出するために利用される。
【００１５】
図２を参照して、バスバ２の構成について説明する。図２は、バスバユニット３のバスバ２のみを示した斜視図である。電動車両のモータには、大電流が流れる。そのため、内部抵抗を小さくするように細長い金属板により構成されたバスバが採用される。図２に示すように、バスバ２ａ、２ｂ、２ｃは、細長い金属板であり、それらの厚みは、同じである。バスバ２ａ、２ｂ、２ｃは、その幅広の側面が対向するように平行に配置されている。さらに、バスバ２ａ、２ｂ、２ｃは、その幅狭の側面が上下方向（Ｚ軸方向）で揃うように配置されている。また、バスバ２は、Ｘ軸方向に沿って延びている。
【００１６】
図２に示すように、バスバ２ａ、２ｂ、２ｃの夫々には、長方形の切欠２１ａ、２１ｂ、２１ｃ及び長方形の切欠２２ａ、２２ｂ、２２ｃが、設けられている。切欠２１ａ、２１ｂ、２１ｃは、互いに同一形状であり、切欠２２ａ、２２ｂ、２２ｃも、互いに同一形状である。バスバ２ａにおいて、切欠２１ａは、バスバ２ａの上側に位置しており、切欠２２ａは、バスバ２ａの下側に位置している。切欠２１ａと切欠２２ａとは、バスバ２ａの延設方向（即ち、Ｘ軸方向）の同位置に配置されている。切欠２１ａと切欠２２ａにより、バスバ２ａは、切欠２１ａと切欠２２ａの間に、切欠の無い他の部位より断面積の小さい部位（以下、幅狭部２６ａ）を有する。他のバスバ２ｂ、２ｃでも、バスバ２ａと同様に、切欠２１ｂ、２１ｃ及び切欠２２ｂ、２２ｃが設けられている。バスバ２ｂ、２ｃは夫々、バスバ２ａと同様に、幅狭部２６ｂ、２６ｃを有する。
【００１７】
切欠２１ａ、２１ｂ、２１ｃは、上から見たとき（即ち、Ｚ軸方向から見たとき）にＶ字形に配置されている。別言すれば、バスバ２ａの切欠２１ａは、バスバ２ａに隣接するバスバ２ｂの切欠２１ｂと延設方向において重ならないように配置されている。同様に、バスバ２ｃの切欠２１ｃは、バスバ２ｃに隣接するバスバ２ｂの切欠２１ｃと延設方向において重ならないように配置されている。特に、バスバ２ａ、２ｃの各切欠２１ａ、２１ｃは、並び方向（即ち、Ｙ軸方向）から見たときに、隣接するバスバ２ｂの切欠２１ｂに対してＸ軸正方向にオフセットするように配置されている。そして、並び方向から見たときに、バスバ２ａ、２ｃの各切欠２１ａ、２１ｃのＸ軸負方向側の内側面と、切欠２２ｂのＸ軸正方向側の内側面とが、延設方向において同位置にある。
【００１８】
さらに、各バスバ２ａ、２ｂ、２ｃ夫々には、突起２３ａ、２３ｂ、２３ｃが、設けられている。各突起２３ａ、２３ｂ、２３ｃは、各切欠２２ａ、２２ｂ、２２ｃに隣接するように、各バスバ２ａ、２ｂ、２ｃの下面に設けられている。即ち、突起２３ａ、２３ｂ、２３ｃは、並び方向と直交する方向（即ち、Ｚ軸方向）に延びている。各突起２３ａ、２３ｂ、２３ｃは、各切欠２２ａ、２２ｂ、２２ｃの外側に位置している。特に、バスバ２ａ、２ｃの突起２３ａ、２３ｃは、切欠２２ａ、２２ｃに対してＸ軸負方向に配置されている。そして、突起２３ａ、２３ｃのＸ軸正方向側の側面と、切欠２２ａ、２２ｃのＸ軸負方向側の内側面とが一平面上に位置している。一方、バスバ２ｂの突起２３ｂは、切欠２２ｂに対してＸ軸正方向に配置されている。そして、突起２３ｂのＸ軸負方向側の側面と、切欠２２ｂのＸ軸正方向側の内側面とが一平面上に位置している。
【００１９】
図３を参照して、センサユニット４に含まれる磁電変換素子と、バスバユニット３に含まれるバスバ２との位置関係について説明する。図３は、電流センサ２００の上面図である。図３でも、図１と同様に、バスバユニット３のモールド体５は模式的に透明で描かれており、モールド体５は一点鎖線で描かれている。センサユニット４は、内側に、３個の磁電変換素子７ａ、７ｂ、７ｃを備えている。各磁電変換素子７ａ、７ｂ、７ｃは、センサユニット４がバスバユニット３の嵌合部５２に嵌合することで、バスバ２の各切欠２１ａ、２１ｂ、２１ｃの内側に配置される。図では、磁電変換素子７ａ、７ｂ、７ｃ以外の電子部分については図示が省略されている。
【００２０】
センサユニット４に含まれるシールド板４６と基板４８は、センサユニット４の外形に倣った形状をしている。図３には図示されないが、基板４８の上にシールド板４６が配置される。そして、基板４８の下面に、磁電変換素子７ａ、７ｂ、７ｃが接続されている。シールド板４６と基板４８の一部は、センサユニット４が、バスバユニット３の嵌合部５２に嵌合することで、磁電変換素子７ａ、７ｂ、７ｃとともに、切欠２１ａ、２１ｂ、２１ｃの内側に配置される。上述したように、バスバユニット３のシールド板６は、バスバ２の下に配置される。したがって、磁電変換素子７ａ、７ｂ、７ｃは、２枚のシールド板４６、６により上下に挟まれている。磁電変換素子７ａ、７ｂ、７ｃは、２枚のシールド板４６、６に挟まれることにより、電流センサ２００の外部に位置する電子部品から発生する磁界に対して遮断される。
【００２１】
さらに図４を参照して、センサユニット４に含まれる磁電変換素子と、バスバ２の各突起との位置関係について説明する。図４は、バスバ２のうち互いに隣接するバスバ２ａ、２ｂを並び方向（即ち、Ｙ軸方向）から見た平面図である。図４は、比較のために、平行に配置されている２本のバスバ２ａ、２ｂを、Ｘ軸方向に沿った位置関係を保持したまま、紙面の上下方向に並べて描いた図である。上述したように、切欠２１ｂは、切欠２１ａと、延設方向（即ち、Ｘ軸方向）において、重ならないように配置されている。よって、図４に示すように、切欠２１ｂの内側に配置される磁電変換素子７ｂは、延設方向において、隣接するバスバ２ａの切欠２１ａと重ならないように配置される。特に、磁電変換素子７ａ、７ｂは、延設方向において重ならないように配置されている。バスバ２ａの突起２３ａは、バスバの並び方向（Ｙ軸方向）からみたときに、切欠２１ａ、２１ｂの夫々に配置されている磁電変換素子７ａ、７ｂの間に位置するように設けられている。さらに、突起２３ａは、バスバの並び方向からみたときに、磁電変換素子７ａ、７ｂと重ならないように配置されている。具体的には、突起２３ａのＸ軸負方向側の側面に沿った平面Ｐ１と、Ｘ軸正方向側の側面に沿った平面Ｐ２とに挟まれる空間の外側に、隣接するバスバ２ｂに位置する磁電変換素子７ｂが、位置する。
【００２２】
同様に、バスバ２ｂの突起２３ｂも、バスバの並び方向から見たときに、切欠２１ａ、２１ｂの夫々に配置されている磁電変換素子７ａ、７ｂの間に位置するように設けられているとともに、延設方向において、磁電変換素子７ａ、７ｂと重ならないように配置されている。具体的には、突起２３ｂのＸ軸正方向側の側面に沿った平面Ｐ３と、Ｘ軸負方向側の側面に沿った平面Ｐ２とに挟まれる空間の外側に、隣接するバスバ２ｂに位置する磁電変換素子７ｂが位置する。なお、本実施例では、並び方向から見たときに、切欠２２ａのＸ軸負方向側の内側面と、切欠２２ｂのＸ軸正方向側の内側面とが、延設方向において、同位置にある。したがって、突起２３ｂのＸ軸負方向側の側面に沿った平面と、突起２３ａのＸ軸正方向側の側面に沿った平面とは、同じ平面Ｐ２である。
【００２３】
また、バスバ２のうち互いに隣接するバスバ２ｂ、２ｃにおいて、突起２３ｂ、２３ｃと、磁電変換素子７ｂ、７ｃの位置関係も、上述したバスバ２ａ、２ｂに関する位置関係と同じである。
【００２４】
図５を参照して、バスバ２に設けられる突起２３ａ、２３ｂ、２３ｃの機能について説明する。図５は、図３のV−V線における断面図である。図３において、V−V線は、バスバ２ａの突起２３ａとバスバ２ｃの突起２３ｃを通過する断面を示す。バスバ２は、樹脂でモールドされる際に、金型に固定される。突起２３ａ、２３ｂ、２３ｃは、バスバ２をその金型に固定するための突起である。３本のバスバ２のそれぞれの突起２３ａ、２３ｂ、２３ｃを金型に固定することで、３本のバスバ２の相対的な位置が定まる。図５には、バスバ２を固定するための金型８の一部が仮想線にて示されている。金型８は、樹脂でモールドした後に、バスバユニット３から外される。図５では、外す前の金型８が示されている。なお、図を理解し易くするために、一点鎖線で描いた金型８にもハッチングを施してある。金型８には、バスバ２ａの突起２３ａと対向する位置に、嵌合部８１ａが設けられている。嵌合部８１ａには、突起２３ａが嵌合する。突起２３ａが嵌合部８１ａに嵌合することで、バスバ２ａが金型８に対して固定される。金型８には、嵌合部８１ａと同様に、バスバ２ｂの突起２３ｂが嵌合する嵌合部（不図示）と、バスバ２ｃの突起２３ｃが嵌合する嵌合部８１ｃも設けられている。突起２３ｂ、２３ｃが夫々、嵌合部８１ｂ、８１ｃに嵌合することで、バスバ２ｂ、２ｃが金型８に対して固定される。各バスバ２ａ、２ｂ、２ｃが、金型８に対して固定されることにより、各バスバ２ａ、２ｂ、２ｃの相対位置が精度よく決められる。即ち、突起２３ａ、２３ｂ、２３ｃは、金型８を利用して３本のバスバ２の相対的な位置を決めるために設けられている。
【００２５】
電流センサ２００の効果について説明する。以下では、代表して、磁電変換素子７ｂに対する効果を説明する。上述したように、バスバ２ｂの幅狭部２６ｂの横断面の面積は、切欠の無い部位の横断面の面積より小さい。よって、幅狭部２６ｂを通過する電流の電流密度は、バスバ２ｂの切欠が無い部位を通過する電流の電流密度より高くなる。幅狭部２６ｂにより電流密度が高められることで、幅狭部２６ｂの周囲に発生する磁束の磁束密度も高められる。高められた磁束密度を感知することで、磁電変換素子７ｂは、ノイズとなる磁界（例えば、隣接するバスバから発生する磁界）の影響を受け難い。よって、磁電変換素子７ｂは、バスバ２ｂを通過する電流により発生する磁束の磁束密度を高い精度で検出することができる。
【００２６】
また、切欠２１ｂは、隣接するバスバ２ａ、２ｃの切欠２１ａ、２１ｃとバスバの延設方向において、重ならないように配置されている。即ち、切欠２１ｂに配置されている磁電変換素子７ｂは、隣接するバスバ２ａ、２ｃの切欠２１ａ、２１ｃ、即ち、幅狭部２６ａ、２６ｃと、延設方向において、重ならないように、配置される。よって、磁電変換素子７ｂは、隣接するバスバ２ａ、２ｃの幅狭部２６ａ、２６ｃにより磁束密度が高められた磁界から大きな影響を受けない。
【００２７】
また、隣接するバスバ２ａ、２ｃの突起２３ａ、２３ｃを含む部位は、切欠の無い他の部位から形状が変化している。よって、突起２３ａ、２３ｃを含む部位から発生する磁界の形状は、他の部位から発生する磁界の形状と異なる。そのため、突起２３ａ、２３ｃを含む部位から発生する磁界は、磁電変換素子７ｂのノイズとなる虞がある。しかし、上述したように、突起２３ａ、２３ｃは、並び方向から見たときに、磁電変換素子７ｂと重ならないように配置されている。よって、磁電変換素子７ｂは、突起２３ａ、２３ｃを含む部位から発生する磁界から大きな影響を受けない。即ち、バスバ２ｂに対するバスバ２ａ、２ｃの相対位置を決めるための突起２３ａ、２３ｃを、磁電変換素子７ｂに対する影響を抑えつつ、バスバ２ｂに設けることができる。
【００２８】
磁電変換素子７ａ、７ｃも、磁電変換素子７ｂと同様に、隣接するバスバから発生する磁界から大きな影響を受けず、さらに、隣接するバスバの突起に起因するノイズ磁界からも大きな影響を受けない。
【００２９】
また、電流センサ２００は、次のような特徴も有している。各バスバ２ａ、２ｂ、２ｃの突起２３ａ、２３ｂ、２３ｃは、並び方向から見たときに、磁電変換素子７ａ、７ｂの間（別言すれば、磁電変換素子７ｂ、７ｃの間）に、配置されている。即ち、突起２３ａ、２３ｂ、２３ｃを、磁電変換素子７ａ、７ｂ、７ｃよりバスバユニット３の内側に集約することができる。このことは、バスバユニット３の延設方向、即ち、Ｘ軸方向の小型化に寄与する。
【００３０】
上述の特徴を有する電流センサ２００は、次の効果の相乗により計測精度の向上が図られる。（１）切欠により、計測対象のバスバから発生する磁界が強められる。（２）磁電変換素子は、隣接する非計測対象のバスバの切欠とバスバの延設方向に沿って重ならないので、隣接するバスバの幅狭部から発生する磁界の影響を受け難い。（３）金型に対する位置決め用の突起を、バスバの並び方向から見たときに、磁電変換素子と重ならないように配置することにより、磁電変換素子が、突起を有する部位から発生する磁界の影響を受け難い。
【００３１】
以下、実施例で示した技術に関する留意点を述べる。実施例で示すバスバの本数は例示に過ぎず、本明細書で開示する技術は、バスバの本数に限らず利用することができる。
【００３２】
また、実施例では、並び方向から見たときに、切欠の一方側の内側面と、隣接するバスバの切欠の他方側の内側面とが、延設方向に沿って、同位置にある。これに代えて、並び方向から見たときに、切欠の一方側の内側面と、隣接するバスバの切欠の他方側の内側面とが、延設方向に沿って、互いに離間していてもよい。即ち、各切欠が、バスバの延設方向において、隣接するバスバの切欠と重ならないように配置されていればよい。
【００３３】
また、本実施例では、突起２３ａの平面Ｐ１と、平面Ｐ２とに挟まれる空間（以下、突起空間と称する）の外側に、隣接するバスバ２ｂに位置する磁電変換素子７ｂが、位置する（図４を参照）。即ち、磁束を感知するための主要部分である磁電変換素子７ｂが、少なくとも、突起空間の外側に、位置しており、磁電変換素子７ｂ以外の電子部分は、突起空間の内側に位置していてもよい。
【００３４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３５】
２（２ａ−２ｃ）：バスバ
３：バスバユニット
４：センサユニット
５：モールド体
６シールド板
７ａ、７ｂ、７ｃ：磁電変換素子
８：金型
２１ａ−２１ｃ：切欠（上側）
２２ａ−２２ｃ：切欠（下側）
２３ａ−２３ｃ：突起
４２：モールド体
４４：出力端子
４６：シールド板
４８：基板
２００：電流センサ
【図１】
2016197052.tif 000003
【図２】
2016197052.tif 000004
【図３】
2016197052.tif 000005
【図４】
2016197052.tif 000006
【図５】
2016197052.tif 000007